(57)【特許請求の範囲】
【請求項１】
光を反射する反射部を有するとともに、該反射部に明色で基準線を描いたターゲット板からなるレーザ測量機用ターゲットにおいて、
前記反射部には、前記基準線に対して対称に、レーザスポットの直径より狭い間隔の少なくとも一対の平行な非反射部を設けたことを特徴とするレーザ測量機用ターゲット。
【請求項２】
前記反射部は、透明な前記ターゲット板の裏面に反射シートが貼着されたもの又は反射塗料の塗布されたものであり、前記非反射部は前記反射シート又は反射塗料塗布部に設けられたスリットであることを特徴とする請求項１に記載のレーザ測量機用ターゲット。
【請求項３】
前記ターゲット板の前記反射部以外の領域の表面に、暗色で的が描かれた明色シートを貼着、又は暗色で的が描かれた明色部分を印刷したことを特徴とする請求項１又は２に記載のレーザ測量機用ターゲット。
【請求項４】
前記的は、升目と十字線からなり、前記十字線の交点に貫通した小穴を設けたことを特徴とする請求項３に記載のレーザ測量機用ターゲット。
【請求項５】
前記的は、正方形又は横長にされたことを特徴とする請求項３又は４に記載のレーザ測量機用ターゲット。
【発明の詳細な説明】
【０００１】
【発明の属する技術分野】
本発明は、室内外で工事等を行うときの墨出し作業において、レーザビームを水平面内でスキャン（走査）して水平面等の基準面を指示するレベルプレーナや、レーザビームを照射してパイプ等を設置するときに勾配設定を行うパイプレーザ等とともに用いられるレーザ測量機用ターゲットに関する。
【０００２】
【従来の技術】
図７に示したように、レベルプレーナ１は、回転部３から可視光で赤色のレーザビーム２を出射し、このレーザビーム２を水平面内でスキャン速度ｖとスキャン幅θでスキャンさせたり、又は静止させたりして、壁面４等に設置されたターゲット６を照射するものである。このとき用いられるターゲット６の正面図の例を図８に、同ターゲット６の背面図の例を図９に示す。
このターゲット６は、細かいシボ加工を施した赤色透明のアクリル板１０に裏面の半分片側に光を反射する銀色の反射シート１２を貼着した反射部１４と、アクリル板１０の裏面に反射シート１２を貼着していない半透過部１６とから構成されており、アクリル板１０の表面に白色塗料により二重の円と十字線からなる的８、基準線２０及び目盛２２がシルク印刷されている。また、ターゲット６には、鉤針状のフックや糸等を通して吊り下げて使用するときに用いる孔２３や、壁面４等に印を付けるときに鉛筆等を当てるための切欠き２４も設けられている。
【０００３】
このようなターゲット６を用いて墨出し作業をするときは、まず、ターゲット６の正面においてレーザビーム２をスキャンさせた状態でターゲット６を上下移動させ、基準線２０をレーザスポット２６の中心に合わせることにより、ターゲット６の位置合わせをする。それから、切欠き２４又は目盛２２に鉛筆等を当てるなどして、壁面４に印を付けていた。または、レーザビーム２を静止させてターゲット６の的８を照射し、的８の中心とレーザスポット２６の中心を合わせることにより、ターゲット６の位置合わせをしていた。
【０００４】
このターゲット６で、アクリル板１０の裏面片側のみに反射シート１２を貼着したのは、レーザビーム２がターゲット６に当たったときに、シボにより散乱を起こすため、ターゲット６の裏側からも、アクリル板１０に映ったレーザスポット２６を見ることができるので、ターゲット６の裏側を見ながらでも、墨出し作業や勾配設定を可能にするためである。
さらに、このターゲット６では、アクリル板１０の下部が切り欠かれてあご部２５を形成しており、このあご部２５に磁石２７がビス２９等により着脱自在に取り付けられていて、ターゲット６を適当な固定具に固定しても使用できるようにもなっている。
【０００５】
【発明が解決しようとする課題】
ところで、従来のものは、平行光線束のレーザビームを出射するタイプのものが主流であったが、最近では、特開平８−１４８９１号公報に開示されたように、オートフォーカス機構を備えて、ターゲット６上にレーザビーム２を集光させて、レーザスポット２６を小さくすることにより、レーザスポット２６の中心を高精度に的８の中心や基準線２０に一致させることを容易にしたレベルプレーナも出てきた。しかし、このようなレベルプレーナでは、オートフォーカス機構や、レーザビーム２が静止状態になったとき、万一レーザビームが作業者の目に当たったときの安全に配慮して、レーザビーム２を平行光線束又は発散光にするような安全装置も必要となり、複雑な構成で高価になるという問題もある。
【０００６】
そこで、以上のような問題を解決するため、今なお多数使用されている従来の平行光線束のレーザビームを出射するレーザプレーナを改修することなく、ターゲットのみを安価に改良して、墨出し作業時や勾配設定時にレーザスポットの中心を高精度にターゲット上の的の中心や基準線に容易に一致させることができるようにしたレーザ測量機用ターゲットを提供する。
【０００７】
【課題を解決するための手段】
上記の諸問題を解決するため、請求項１に係る発明は、光を反射する反射部を有するとともに、該反射部に明色で基準線を描いたターゲット板からなるレーザ測量機用ターゲットにおいて、前記反射部には、前記基準線に対して対称に、レーザスポットの直径より狭い間隔の少なくとも一対の平行な非反射部を設けたことを特徴とする。
【０００８】
請求項２に係る発明は、請求項２に係る発明において、前記反射部は、透明な前記ターゲット板の裏面に反射シートが貼着されたもの又は反射塗料の塗布されたものであり、前記非反射部は前記反射シート又は反射塗料塗布部に設けられたスリットであることを特徴とする。
【０００９】
請求項３に係る発明の測量機用ターゲットは、請求項１又は２に記載のレーザ測量機用ターゲットにおいて、前記ターゲット板の前記反射部以外の領域の表面に、暗色で的が描かれた明色シートを貼着、又は暗色で的が描かれた明色部分を印刷したことを特徴とする。
【００１０】
請求項４に係る発明は、請求項３に係る発明において、前記的は、升目と十字線からなり、前記十字線の交点に貫通した小穴を設けたことを特徴とする。
【００１１】
請求項５に係る発明は、請求項３又は４に係る発明において、前記的は、正方形又は横長にされたことを特徴とする。
【００１３】
【発明の実施の形態】
以下、本発明のレーザ測量機用ターゲットについて、図面を用いて詳細に説明する。
【００１４】
まず、第１の実施例であるレーザ測量機用ターゲットの正面図を図１に、同ターゲットの背面図を図２に示す。このターゲット６Ａは、図８と図９に示した従来例と同様に、細かいシボ加工を施した赤色透明のアクリル板１０（ナイロンシートやアクリルシート等の赤色透明な材料のターゲット板でもよい。）の裏面の半分片側に、銀色の反射シート１２を貼着又は銀色の反射塗料を塗布した反射部１４と、アクリル板１０の裏面に反射シート１２を貼着していない半透過部１６とから構成されており、アクリル板１０の表面には白色塗料（黄色等の白色に近い明色塗料でもよい。）により基準線２０と目盛２２がシルク印刷されている。
【００１５】
本実施例においては、レーザ測量機のレーザビーム２の色が赤色である場合に合わせて、レーザビーム２を最も視認しやすいように、ターゲット６Ａを赤色透明に構成したが、ターゲット６Ａは、赤色透明に限るものではなく、レーザビーム２の色が別色（例えば緑色）の場合には、レーザビーム２を最も視認しやすい別の色で構成してもよい。また、有色透明のアクリル板、ナイロンシート、アクリルシート等の材料にシボ加工を施し、乱反射によりレーザビーム２を視認し易くしたものでもよい。
【００１６】
また、アクリル板１０における基準線２０の位置には、壁面４等に印を付けるときに鉛筆等を当てるための切欠き２４も設けられ、アクリル板１０下部のあご部２５には、図示しないが、従来のものと同様に磁石が着脱自在に固定される。
【００１７】
ターゲット６Ａの反射部１４の裏面には、表面に印刷された基準線２０に対して対称に、レーザスポット２６の直径の３０−８０％程度と、レーザスポット２６の直径よりいくらか狭い間隔の一対の非反射部が設けてある。この非反射部は、反射シート１２にスリット２８を設けることによって構成される。もちろん、黒色塗料（黒に近い暗色塗料でもよい。）でアクリル板１０に直線を引くことによって構成してもよい。
【００１８】
このターゲット６Ａの反射部１４上の白い基準線２０を静止した状態のレーザビーム２で照射すると、図１に示したように、反射シート１２が貼着された部分はレーザビーム２を反射するので、レーザスポット２６が明るく見えるが、スリット２８ではレーザビーム２はほとんど反射されずにターゲット板６Ａを透過するため、スリット２８の部分は暗く見える。一方、このターゲット６Ａの基準線２０をレーザビーム２でスキャンすると、図１０に示したように、走査線２７が明るく見えるが、スリット２８の部分は暗く見える。
【００１９】
このように明暗のコントラストが生じることにより、非反射部であるスリット２８が、基準線２０にレーザスポット２６又は走査線２７の中心を合わせるときの補助線の役割を果たすために、赤いレーザスポット２６又は走査線２７とスリット２８の部分の暗線を見ながら、ターゲット６Ａの位置を調整することで、レーザスポット２６又は走査線２７の中心と基準線２０とを容易に合わせることができる。
【００２０】
また、本実施例では、半透過部１６には、細線の升目と太線の十字線からなる的３６を黒色（黒に近い暗色でもよい。）で印刷した白色シート３７（白色に近い明色シートでもよい。）が貼着される。もちろん、的３６が描かれた白色部分を半透過部１６に印刷してもよい。この的３６の中心には、鉛筆等の先端を挿入できる小穴３８が開けられている。
【００２１】
このターゲット６Ａにおいて、白色シート３７をレーザビーム２で照射すると、白色シート３７には升目による干渉を抑えるために鏡面反射をするような特別な表面処理がしてないので、白色シート３７がスペクトルパターンの周辺の干渉を少なくして、レーザスポット２６が大きくならずどのような方向からでも見易くなる。従って、このような白色シート３７では、赤いレーザスポット２６上に升目が黒く見えるので、細線の升目と太線の十字線とを利用してレーザスポット２６の中心と的３６の中心とを合わせ易くなる。
【００２２】
さらに、本実施例では、このターゲット６Ａの反射部１４には、アクリル板１０及び反射シート１２を重ねて切断した十字スリット３０と、アクリル板１０の表面に白色（明色）塗料でシルク印刷された円３５とからなる的３４が設けられる。この貫通した十字スリット３０は、鉛筆等の先端を挿入できる幅とされている。
【００２３】
このターゲット６Ａの反射部１４上の的３４をレーザビーム２で照射すると、赤いレーザスポット２６上に暗い非反射部（十字スリット３０）が見えるので、レーザスポット２６の中心と円３５及び十字スリット３０の中心３３とを合わせ易くなる。さらに、両中心が一致した状態で、十字スリット３０に鉛筆等の先端を挿入して壁面４等に印をつけることができる。
【００２４】
さらに、半透過部１６のアクリル板１０の表面には、中心線をアクリル板１０の一側に一致させた半円形の的４０も白色（明色）塗料によりシルク印刷されている。この的４０の中心には、壁面等に印を付けるときに鉛筆等を当てるための切欠き２４も設けられている。
【００２５】
このターゲット６Ａでは、中心線をターゲット６Ａの一側に一致させた半円形の的４０を設けたから、２壁の交線上に印を付けようとする場合には、ターゲット６Ａの一側を一方の壁に当接させることにより、墨出し作業を容易に行うことができる。
【００２６】
以上のように、本実施例のターゲット６Ａは、種々の的３４、３６、４０や基準線２０を備えているので、状況に応じて最適の的又は基準線を用いて、ターゲット６Ａの位置決めを能率的に行える。
もちろん、ターゲット６Ａは、以上に説明した実施例のように、複数の的３４、３６や基準線２０等をいっしょに備える必要はなく、一つの的３４と的３４の中心を表示する非反射部（十字スリット３０）、基準線２０とこの両側の非反射部（スリット２８）、的３６が印刷された白色シート３７のいずれか１つのみを備えるだけでもよい。
【００２７】
ところで、本発明のターゲット６Ａの反射部１４に設ける非反射部（スリット２８、３０）又は的３４、３６の形状は、前記実施例に限らず、種々の形状が可能である。このような別の実施例を図３−図６に示す。
【００２８】
基準線２０と対称に配置した一対の非反射部（スリット２８）は、少なくとも一対あればよいが、図３の（ａ）のように２対以上形成してもよく、この場合には、図３の（ｂ）のように基準線２０からの距離に応じてスリット幅を変えて、スリット２８個々の識別ができるようにすることが望ましい。また、非反射部（スリット２８）は、図３（ｃ）のように三角形状に形成してもよい。いずれの場合でも、種々の直径のレーザスポット２６や走査線２７の中心に対して、基準線２０を合わせ易くできる。さらに、基準線２０ａも、図３の（ｄ）のように、反射シート１２にスリットを設けた非反射部としてもよく、この場合には、基準線２０ａであることが識別できるように、基準線２０ａと一対のスリット２８ではスリット幅を変える。
【００２９】
白色シート３７に黒色で印刷した的３６は、十字線と組み合わせる図形としては、図４の（ａ）のように円と楕円を組み合わせてもよく、図４の（ｂ）のように同心の複数の長方形としてもよく、図４の（ｃ）のように複数の同心円としてもよく、図４の（ｄ）のように同心の複数の正方形としてもよく、その他の適当な点対称図形としてもよい。
【００３０】
半分の標的４０としては、図５の（ａ）−（ｅ）に示したような点対象図形の片側半分だけとしてもよい。
【００３１】
裏面に反射シート１２が貼着された反射部１４上に、十字状の非反射部（スリット３０）を有する的３４には、図６の（ａ）のように十字状の非反射部を４５°回転させてＸ字型にしてもよく、図６の（ｂ）のように同心円をシルク印刷し、この中心に非反射部になるとともに鉛筆等の先端を挿入できる孔３１を開けてもよい。
【００３２】
【発明の効果】
以上の説明から明らかなように、請求項１又は２に係る発明では、ターゲットの反射部の基準線をレーザビームで照射すると、レーザスポット上に基準線とともに、基準線と対称に形成された暗い非反射部が見えるので、レーザスポットの中心と基準線とを合わせ易くなる。このため、従来から使用されている平行光線束のレーザビームを出射するレーザプレーナを改修することなく、ターゲットのみを改良することにより、墨出し作業を容易にすることができるので、きわめて経済的である。
【００３３】
請求項３、４又は５に係る発明によれば、白色シート又は白色部分がレーザビームを乱反射してレーザスポットがどのような方向からでも見易くなり、かつ、レーザスポット上に黒い的が見えるので、レーザスポットの中心と的の中心とを合わせ易くなる。このため、従来から使用されている平行光線束のレーザビームを出射するレーザプレーナを改修することなく、ターゲットのみを改良することにより、墨出し作業を容易にすることができ、きわめて経済的である。
【００３４】
また、請求項３、４又は５に係る発明によれば、請求項１又は２に係る発明の基準線及び的を備えているので、状況に応じて最適の基準線又は的を用いてターゲットの位置決めができるので、作業能率をいっそう向上させることができる。
【図面の簡単な説明】
【図１】本発明の第１の実施例であるレーザ測量機用ターゲットの正面図である。
【図２】前記実施例のレーザ測量機用ターゲットの背面図である。
【図３】本発明の別の実施例であるレーザ測量機用ターゲットの一部を示す図である。
【図４】本発明の別の実施例であるレーザ測量機用ターゲットの一部を示す図である。
【図５】本発明の別の実施例であるレーザ測量機用ターゲットの一部を示す図である。
【図６】本発明の別の実施例であるレーザ測量機用ターゲットの一部を示す図である。
【図７】従来のレーザ測量機（レベルプレーナ）を示す図である。
【図８】従来のレーザ測量機用ターゲットの正面図である。
【図９】従来のレーザ測量機用ターゲットの背面図である。
【図１０】図１に示したレーザ測量機用ターゲットをレーザビームでスキャンしたときの見え方を説明する図である。
【符号の説明】
１            レーザプレーナ(レーザ測量機)
２            レーザビーム
６Ａ            ターゲット
１０            アクリル板（ターゲット板）
１２            反射シート
１４            反射部
１６            半透過部
２０            基準線
２６            レーザスポット
２８            スリット（非反射部）
３０            十字スリット（非反射部）
３４、３６、４０    的
３７            白色シート（明色シート）
【図１】
0004803926.tif 000002
【図２】
0004803926.tif 000003
【図３】
0004803926.tif 000004
【図４】
0004803926.tif 000005
【図５】
0004803926.tif 000006
【図６】
0004803926.tif 000007
【図７】
0004803926.tif 000008
【図８】
0004803926.tif 000009
【図９】
0004803926.tif 000010
【図１０】
0004803926.tif 000011